(57)【特許請求の範囲】
【請求項１】
上面が開放され周壁の一部を切り欠いた収納部を有する容器本体と、周壁の一部を切り欠くとともに複数の係合片を内設した貫通孔が天板に穿設され前記容器本体の後端で蝶着された蓋体と、化粧料が収納されたケース本体の外周に螺子蓋が螺合されて構成され前記収納部に着脱自在に装着されたカートリッジケースと、を具備してなるコンパクト容器において；前記貫通孔に嵌脱自在に且つ回動可能に嵌着する係着盤を前記螺子蓋の天板に回動不能に突設するとともに前記螺子蓋の外周壁には前記容器本体の周壁の切欠部に露出する操作レバーが突設されている事を特徴とするコンパクト容器。
【請求項２】
前記係着盤を前記貫通孔に回動不能に嵌着するとともに前記螺子蓋とは回動可能に係着させたことを特徴とする請求項１記載のコンパクト容器。
【発明の詳細な説明】
【０００１】
【産業上の利用分野】
本発明は、流動性のある化粧料や揮発性化粧料を収納するのに好適な螺子蓋を用いた気密性に優れたコンパクト容器に関する。
【０００２】
【従来の技術】
気密性を必要とする化粧料をコンパクト容器内に気密に収納するには、螺子蓋を用いたねじ込み式の密閉手段が最も確実性が高く、かかる従来例として、実公昭６１ー１２８９５号公報の第二実施例として開示されものが知られている。
【０００３】
図１０に示すように、この従来のコンパクト容器は、容器本体５１と蓋体５２と中板５３とが後部でヒンジ結合されたコンパクト容器であって、前記中板５３の上面中央部に立設された化粧料の収容部５４を形成する環状壁５５の外周面に雄螺子５６が設けられ、前記雄螺子５６に螺合する雌螺子（図示略）を内周面に設けた螺子蓋５７が前記環状壁５５に螺着されてなるもので、化粧料の密閉は螺子蓋５７のねじ込みでなされるものである。
【０００４】
【発明が解決しようとする課題】
ところで、前記従来のコンパクト容器にあっては、螺子蓋５７が自由に着脱でき気密性が高く保たれる操作性の良いねじ込み式であるが、化粧をするときには、コンパクト容器を開蓋し、更に螺子蓋５７を取り外さねばならず、二重の開閉操作が必要となって取り扱いが面倒であった。
【０００５】
また、化粧をするとき取り外した螺子蓋５７は、コンパクト容器の外に置くので、誤って紛失したり、落として螺子蓋５７を汚してしまうことがあり、化粧中には邪魔な存在となっていた。
【０００６】
更に、化粧料を使いきって新しい化粧料と交換するときは、螺子蓋５７を取り外して化粧ドラムの交換作業を行うので、誤って化粧料に手が触れたりして取り扱いが難しかった。
【０００７】
本発明は、上記の問題に鑑みてなされたもので、螺子蓋を用いて気密性を確実にするとともに、化粧料を密閉したまま交換できる取り扱い易いコンパクト容器にすることを目的としている。
【０００８】
【課題を解決するための手段】
本発明の請求項１に係るコンパクト容器は、上面が開放され周壁の一部を切り欠いた収納部を有する容器本体と、周壁の一部を切り欠くとともに複数の係合片を内設した貫通孔が天板に穿設され前記容器本体の後端で蝶着された蓋体と、化粧料が収納されたケース本体の外周に螺子蓋が螺合されて構成され前記収納部に着脱自在に装着されたカートリッジケースと、を具備してなるコンパクト容器において；前記貫通孔に嵌脱自在に且つ回動可能に嵌着する係着盤を前記螺子蓋の天板に回動不能に突設するとともに前記螺子蓋の外周壁には前記容器本体の周壁の切欠部に露出する操作レバーが突設されている事を特徴としている。
【０００９】
本発明の請求項２に係るコンパクト容器は、請求項１に記載のコンパクト容器において、係着盤を貫通孔に回動可能に嵌着するとともに螺子蓋に回動不能に立設した代わりに、前記係着盤を前記貫通孔に回動不能に嵌着するとともに前記螺子蓋とは回動可能に係着させたことを特徴としている。
【００１０】
【作用】
本発明のコンパクト容器にあっては、操作レバーを作動させることにより、コンパクト容器の蓋体とカートリッジケースの螺子蓋は同時に開閉する
【００１１】
また、カートリッジケースの螺子蓋は、コンパクト容器の蓋体が開かれると自動的にコンパクト容器の蓋体内に保管される。
【００１２】
更に、化粧料を交換するときは、カートリッジケースは施蓋されて化粧料は密閉されたままカートリッジケースごと交換される。
【００１３】
【実施例】
以下、本発明の実施例を添付図面を参照しながら詳細に説明する。
【００１４】
図１乃至図７は、本発明に係るコンパクト容器の第一実施例を示すもので、上面が開放され周壁１ａの一部を切り欠いた収納部１ｂを有する容器本体１と、この容器本体１の上面を覆い互いの後端部で蝶着された蓋体２と、化粧料Ｋが収納されたケース本体４の外周に螺子蓋５が螺合されて構成され前記収納部１ｂに着脱自在に装着されたカートリッジケース３と、からなり、これらの主要部品はＳＡＮ、ＡＢＳ、ＰＰ、ＰＥ、など汎用の合成樹脂材料を用いて形成されている。
【００１５】
容器本体１は、前端部が内側に湾曲し左右両側が馬蹄形に湾曲形成された平板状の底板１ｃの周縁から周壁１ａが立設された扁平な箱体からなり、前記周壁１ａの前面中央部から一側面のほぼ全体に亘って切り欠かれた切欠部１ｆで開放されたカートリッジケース３の収納部１ｂと、パフなどの化粧用具（図示せず）を収納する納置部１ｄとに底板１ｃから前後方向に立設されたリブ１ｅで区画されているとともに、周壁１ａの後端部には蓋体２の蝶番脚２ｅが組み込まれた蝶番凹所１ｇが設けられ、周壁１ａ後端部と蝶番脚２ｅとが互いに軸着されて蝶番形成されている。
【００１６】
前記収納部１ｂの底板１ｃには、フックを有する一対の係止片１ｈが容器本体１の長手方向に対向して弾性的に立設されており、カートリッジケース３と着脱自在に係着し、カートリッジケース３を固定している。
【００１７】
一方、蓋体２は、平板状の天板２ｄの周縁から周壁２ａが垂設され平面形状が前記容器本体１と相似した扁平な箱体に形成されてなり、前記周壁２ａの前壁には下方に開放された切欠窓２ｆが設けられているとともに、天板２ｄの納置部１ｄが対応する部分の内面には化粧鏡８が貼着され、収納部１ｂが対応する部分には貫通孔２ｃが貫設されている。
【００１８】
前記貫通孔２ｃは、カートリッジケース３の螺子蓋５の天板５ａから突設された係着盤６が嵌脱自在に且つ回動可能に嵌着されるもので嵌着盤６とほぼ同寸の円形に貫設されており、貫通孔２ｃの下端縁には対向する一対の係合片２ｂが突設されて前記係着盤６の周顎部６ａと係合して螺子蓋５を蓋体２内に保持するようになっている。
【００１９】
次に、カートリッジケース３のケース本体４は、容器本体１の収納部１ｂと相似形に形成された底板４ａに立設され化粧料Ｋが充填されたドラム９がはめ込まれた環状壁４ｂからなり、環状壁４ｂの外周には所定間隔を置いてリードの短い雄螺子４ｃが突設されている。
【００２０】
そして、図７に示すように、容器本体１の係止片１ｈに対応するケース本体４の底板４ａの位置には前記係止片１ｈが臨んだ切欠孔４ｄが穿設され、ケース本体４は容器本体１に着脱可能に弾性的に係着されている。
【００２１】
また、螺子蓋５は、平板状の天板５ａの周縁から垂設された周壁５ｂの外面に操作レバー７が突設されて形成され、天板５ａの中央上面には周顎部６ａを有する係着盤６が一体に、従って回動不能に立設されているとともに、周壁５ｂの内面には雌螺子５ｃが螺設され、天板５ａの下面にはパキッン１０が装着されてケース本体４の環状壁４ｂに螺着して化粧料Ｋを気密に密閉している。
【００２２】
以上のように構成された本実施例のコンパクト容器を組立てるときは、図３及び図４に示すように、カートリッジケース３を容器本体４の収納部１ｂに納置して上方から押圧し、係止片１ｈに切欠孔４ｄを係止して装着する。
【００２３】
そして、図５に示すように蓋体２を閉めると、螺子蓋５の係着盤６が貫通孔２ｃに嵌入し、貫通孔２ｃの下端に内設された係合片２ｂと係着盤６の周顎部６ａとが係合して螺子蓋５は係着盤６の天面６ｂを貫通孔２ｃから露出して回動可能に蓋体２に係着し、コンパクト容器の組立は完了する。そして、容器本体１と蓋体４とはフック等の係止手段を設けることなく、カートリッジケース３を介して閉蓋状態に固定される。
【００２４】
次に、切欠部１ｆに露出している操作レバー７を図５に示す左寄りの位置から図６に示す右よりの位置に作動させると、螺子蓋５のケース本体４との螺合は解除され、カートリッジケース３と蓋体２とは同時に開放が可能な状態となる。
【００２５】
従って、化粧をするときに、蓋体２を開蓋し、更に螺子蓋５を取り外すという二重の操作は必要なく、一回の操作で簡単に開蓋させることができる。
【００２６】
そして、操作レバー７を引き上げ蓋体２を開くと、螺子蓋５は蓋体２に係着したまま引き上げられて蓋体２内に保管されるので、螺子蓋５が化粧の邪魔になることがなく、また、誤って紛失したり、落として汚してしまうこともない。
【００２７】
更に、化粧料Ｋを使い切って新しいカートリッジケース３と交換するときは、蓋体２から露出している係着盤６の天面６ｂを押して螺子蓋５を貫通孔２ｃから取り外し、取り外した螺子蓋５をケース本体４に螺合し（図４参照）、操作レバー７を引き上げることによりケース本体４と容器本体１との係合を解除し、施蓋した状態で取り外す。
【００２８】
従って、使い切った化粧料Ｋも、新しく交換する化粧料Ｋも、共に施蓋したカートリッジケース３のまま交換されるので、交換作業中に揮発性化粧料等を空気に曝したり、化粧料Ｋで手指を汚すこともなく、また、コンパクト容器を何度も繰り返し使用してもカートリッジケース３全体を交換してしまうので、カートリッジケース３に付着した古い化粧料Ｋによる汚れが残ることがなく衛生的である。
【００２９】
図８乃至図９は別の実施例を示すもので、図８に示すように、螺子蓋５と係着盤６とは別体に設けられ、貫通孔２ｃと同形の係着盤６が貫通孔２ｃに回動不能に嵌着するとともに、係着盤６の周顎部６ａの下方には円周溝６ｃが周設され、この円周溝６ｃと螺子蓋５の穴とが係合し、係着盤６と螺子蓋５とは回動自在に係着されている。その他の部分はほぼ第一実施例と同様である。
【００３０】
以上のように蓋体２に係着盤６を固定し、別体に形成された螺子蓋５が蓋体２内で回動可能に係着盤６に係着した構成にすることにより、例えば、係着盤６の天面６ｂの形状を楕円形にしたり（図９）、或いは多角形にするなど、所望の形に形成することにより蓋体２の表面のデザインを多様化することができる。
【００３１】
尚、上記各実施例のコンパクト容器の組立方法や使用方法は第一実施例と同様であるので、その説明を省略する。
【００３２】
【発明の効果】
本実施例のコンパクト容器によれば、操作レバーによってカートリッジケースと蓋体とが同時に開放されるので、化粧をするときの開蓋操作が簡単である。
【００３３】
また、蓋体が開かれると、螺子蓋は蓋体とともに引き上げられ、蓋体内に保管されるので化粧の邪魔になることがなく、従って、化粧に集中できるとともに、誤って螺子蓋を紛失したり落として汚してしまう心配がない。
【００３４】
そして、使い切った化粧料も、新しく交換する化粧料も、施蓋したカートリッジケースに収納されたまま交換されるので、交換作業中に揮発性化粧料等を空気に曝したり、化粧料で手指を汚すこともなく、また、コンパクト容器を何度も繰り返し使用してもカートリッジケース全体を交換してしまうので、カートリッジケースに付着した古い化粧料による汚れが残ることがなく、衛生的である。
【００３５】
更に、従来廃棄されてしまったリフィールケースをカートリッジケースとしてそのまま容器本体に装着して使用する構成としたので、容器本体に複雑な気密構造を形成する必要がなく、従って製造が簡単になって安価に提供できる。
【図面の簡単な説明】
【図１】本発明のコンパクト容器の第一実施例を示す断面図。
【図２】同実施例におけるカートリッジケースを収納した容器本体の平面図。
【図３】同実施例におけるカートリッジケースを取り外した状態を示す斜視図。
【図４】同実施例におけるカートリッジケースを装着した状態を示す斜視図。
【図５】同実施例の閉蓋した状態を示す斜視図。
【図６】同実施例の操作レバーを作動させた状態を示す斜視図。
【図７】同実施例の一部を破断し開蓋状態を示す斜視図。
【図８】第二実施例の要部断面図。
【図９】同実施例の閉蓋状態を示す斜視図。
【図１０】従来の実施例の斜視図。
【符号の説明】
１  容器本体，１ａ  周壁，１ｂ  収納部，２  蓋体，２ａ  周壁，２ｂ  係合片，２ｃ  貫通孔，２ｄ  天板，３  カートリッジケース，４  ケース本体，５  螺子蓋，５ａ  天板，６  係着盤，７  操作レバー，
【図１】
0003740648.tif 000002
【図２】
0003740648.tif 000003
【図３】
0003740648.tif 000004
【図４】
0003740648.tif 000005
【図５】
0003740648.tif 000006
【図６】
0003740648.tif 000007
【図７】
0003740648.tif 000008
【図８】
0003740648.tif 000009
【図９】
0003740648.tif 000010
【図１０】
0003740648.tif 000011